(57)【要約】【課題】天井スラブから天井上面に滴下する漏水を効果的に排水処理することができる天井構造を提供することである。【解決手段】天井スラブ１から垂下する複数の吊りボルト２によって天井下地１０を支持し、その天井下地１０によって複数の天井パネル２１を幅方向に順次接続した天井２０を支持する。天井２０を天井パネル２１の長さ方向に分割して第１天井部２０ａと第２天井部２０ｂとを設け、各天井部２０ａ、２０ｂの天井パネル２１を分割端に向けて下り勾配をもって傾斜させる。第１天井部２０ａと第２天井部２０ｂの対向端間に傾斜状配置の樋５０を設け、天井スラブ１から第１天井部２０ａおよび第２天井部２０ｂに滴下する漏水を天井パネル２１の傾斜上面に沿って流動させて樋５０内に集水し、その樋５０の低端部に設けた排水口５１から排水する。【選択図】図３
2006016846.tif 000002
【特許請求の範囲】
【請求項１】
スラブに吊り下げ支持された天井下地によって天井を支持し、その天井が両側にフランジを有し、そのフランジを対向させて接続した金属薄板から成る複数の天井パネルの接続体から成る天井構造において、前記天井を前記天井パネルの長さ方向に分割して第１天井部と第２天井部とを設け、各天井部の複数の天井パネルを分割端に向けて下り勾配をもって傾斜させ、前記第１天井部と第２天井部の対向端間には天井パネルの上面に沿って流れる漏水の集水用の樋を設け、その樋を長さ方向に傾斜させ、その傾斜下部に排水口を設けたことを特徴とする天井構造。
【請求項２】
前記第１天井部と第２天井部の少なくとも一方に器具取付け用の開口を設け、その開口の器具の外周に接する内周４辺に見切り縁を設け、その見切り縁が、クリップによって結合される固定バーと支持バーとから成り、固定バーには天井パネルの開口に対する周縁部を押える複数の押え片を長さ方向に間隔をおいて設け、支持バーには天井パネルの開口に対向する周縁部を支持する支持片と、その支持片より開口側に底面が天井パネルの上面と同一高さ又は少し下位とされる樋部とを設け、前記天井パネルに対して直交する方向に延びる支持バーの樋部を天井パネルに平行する支持バーの樋部に連通し、その天井パネルに平行する支持バーの樋部を支持バーの両端で開口させた請求項１に記載の天井構造。
【発明の詳細な説明】
【技術分野】
【０００１】
この発明は、地下室や地下街、地下鉄等の地下空間への採用に好適な天井構造に関するものである。
【背景技術】
【０００２】
地下空間を形成する天井スラブに多数の吊りボルトの上部を固定し、その吊りボルトにより吊り下げ支持された天井下地に複数の天井パネルを取付けて天井を形成することは従来から普通に行なわれている。
【０００３】
一般に、地下空間においては漏水について充分な対策がなされているが完全ではない。このため、天井スラブから漏水すると、その漏水は天井の上面に滴下することになる。
【発明の開示】
【発明が解決しようとする課題】
【０００４】
ところで、地下空間における従来の天井構造においては、天井スラブからの漏水の対策が不充分であり、上記漏水の滴下によって天井上面に溜り、天井パネルが透水性を有するパネルの場合に、そのパネルを浸透して天井下面を汚すことになる。
【０００５】
また、天井パネルが金属製の非透水性のパネルの場合は、天井パネルの接続部より漏水するおそれが生じる。
【０００６】
この発明の課題は、天井スラブから天井上面に滴下する漏水を効果的に排水処理することができるようにして、天井の汚損と漏水の滴下を防止することができるようにした天井構造を提供することである。
【課題を解決するための手段】
【０００７】
上記の課題を解決するために、この発明においては、スラブに吊り下げ支持された天井下地によって天井を支持し、その天井が両側にフランジを有し、そのフランジを対向させて接続した金属薄板から成る複数の天井パネルの接続体から成る天井構造において、前記天井を前記天井パネルの長さ方向に分割して第１天井部と第２天井部とを設け、各天井部の複数の天井パネルを分割端に向けて下り勾配をもって傾斜させ、前記第１天井部と第２天井部の対向端間には天井パネルの上面に沿って流れる漏水の集水用の樋を設け、その樋を長さ方向に傾斜させ、その傾斜下部に排水口を設けた構成を採用したのである。
【０００８】
この発明に係る天井構造において、前記第１天井部と第２天井部の少なくとも一方に器具取付け用の開口を設け、その開口の器具の外周に接する内周４辺に見切り縁を設け、その見切り縁が、クリップによって結合される固定バーと支持バーとから成り、固定バーには天井パネルの開口に対する周縁部を押える複数の押え片を長さ方向に間隔をおいて設け、支持バーには天井パネルの開口に対向する周縁部を支持する支持片と、その支持片より開口側に底面が天井パネルの上面と同一高さ又は少し下位とされる樋部とを設け、前記天井パネルに対して直交する方向に延びる支持バーの樋部を天井パネルに平行する支持バーの樋部に連通し、その天井パネルに平行する支持バーの樋部を支持バーの両端で開口させた構成を採用すると、天井の上面に滴下した漏水が開口とその開口に取付けられる器具の接触部から漏水するのを防止することができる。
【発明の効果】
【０００９】
上記のように、天井を天井パネルの長さ方向に分割し、その分割によって形成された第１天井部と第２天井部の天井パネルのそれぞれを分割端に向けて下り勾配をもって傾斜させ、上記分割端の対向部間に天井パネルに対して交差方向に延びる傾斜状の樋を設けたことにより、天井スラブから天井の上面に漏水が滴下した場合に、その漏水を樋に集水して排水口から排水処理することができる。このため、天井が漏水によって汚損されたり、天井パネルの接続部から漏水が漏れるのを防止することができる。
【発明を実施するための最良の形態】
【００１０】
以下、この発明の実施の形態を図面に基づいて説明する。図１乃至図４に示すように、地下空間における天井のスラブ１には複数の吊りボルト２の上部が固定され、各吊りボルト２の下端部に取付けられたハンガー３によって天井下地１０が支持されている。
【００１１】
天井下地１０は、上記ハンガー３によって支持された複数の平行に配置された野縁受１１と、その野縁受１１に対して直交する方向に延びる野縁１２と、その野縁１２と野縁受１１の交差部を連結するクリップ１３とから成っている。
【００１２】
天井下地１０の下面には天井２０が取付けられている。天井２０は複数の天井パネル２１から成る。
【００１３】
図４に示すように、天井パネル２１は金属薄板の折曲げ成形品から成る。この天井パネル２１は細長い帯板状のパネル本体２１ａの両側に一対のフランジ２１ｂを上向きに設け、一方のフランジ２１ｂの上縁部に内向きの折曲片２１ｃを設けると共に、その折曲片２１ｃの側縁に外向きの取付片２１ｄを形成して、内向き折曲片２１ｃとの間に接続溝２１ｅを設け、他方のフランジ２１ｂの上縁に上記接続溝２１ｅに挿入可能な挿入片２１ｆを設けた樋状の構成とされている。
【００１４】
上記複数の天井パネル２１は前記野縁１２と直交する配置とされて、挿入片２１ｆが隣接する接続溝２１ｅに挿入され、外向き取付片２１ｄの下面から野縁１２にねじ込まれる図３に示すタッピングねじ２２の締付けによって上記外向き取付片２１ｄが野縁１２に固定されている。
【００１５】
なお、天井２０を形成する複数の天井パネル２１のうち、両側の天井パネル２１には、フランジ２１ｂの一方が除去された天井パネル２１が採用されている。
【００１６】
天井２０の壁面Ｗと接する部分の外周の４辺には見切り縁３０が設けられている。図５乃至図７に示すように、見切り縁３０は固定バー３１と、その固定バー３１の下面に取付けられる支持バー３２と、その支持バー３２を固定バー３１に取付ける連結具としてのクリップ３３とから成っている。
【００１７】
固定バー３１は、その下方から野縁１２にねじ込まれるタッピングねじ（図示省略）によって上記野縁１２に固定される。固定バー３１の下面両側部には断面形状をＬ形とする突条３５が設けられ、上記固定バー３１の取付け状態で内側に配置される一方の突条３５の下面長さ方向に天井２０の上面外周部を押える複数の押え片３６が間隔をおいて形成されている。
【００１８】
支持バー３２にはその取付け状態で内側となる側部に天井２０の下面外周部を支持する支持片３７が設けられている。また、支持バー３２の上面両側部には断面形状をＬ形とする一対の突条３８が設けられ、上記支持片３７側に設けられた突条３８は長さ方向に分断された不連続な突条３８から成っている。一対の突条３８間は樋部３９とされている。
【００１９】
クリップ３３は、断面形状がコの字形とされ、その対向する側板４０の上縁には外向きにフック片４１が設けられている。また、対向する側板４０のそれぞれには外側方に向けて傾斜する切り起こしの係合片４２が設けられている。
【００２０】
上記クリップ３３は、固定バー３１のＬ形突条３５に対するフック片４１の係合と、支持バー３２に形成されたＬ形突条３８に対する係合片４２の係合によって固定バー３１と支持バー３２を結合状態に保持している。すなわち、見切り縁３０を組立て状態に保持している。
【００２１】
ここで、図７に示すように、固定バー３１および支持バー３２が複数の固定バー３１および支持バー３２から成る場合、固定バー３１の端面同士および支持バー３２の端面同士を互に突き合わせ、その突き合わせ端部をジョイント具４３を介して互に連結する。
【００２２】
なお、図５において、４４は支持片３７と天井パネル２１の接触部の水密を保持するシール部材を示す。
【００２３】
図１乃至図３に示すように、天井２０および天井パネル２１の接続方向前後に位置する対向一対の見切り縁３０は、天井パネル２１の長さ方向に分割されている。この分割によって天井２０は第１天井部２０ａと第２天井部２０ｂとに分けられ、その第１天井部２０ａと第２天井部２０ｂの対向端部間に間隔が設けられている。
【００２４】
第１天井部２０ａおよび第２天井部２０ｂの分割された複数の天井パネル２１のそれぞれは分割端に向けて下り勾配をもって傾斜する傾斜状の配置とされている。
【００２５】
第１天井部２０ａと第２天井部２０ｂの対向端部間には天井パネル２１に対して交差する方向に延びる樋５０が設けられている。樋５０は一端から他端に向けて傾斜し、その低端部に排水口５１が設けられている。排水口５１にはドレンパイプ５２が接続されている。
【００２６】
第１天井部２０ａには照明器具等の器具取付け用の矩形の開口６０が設けられ、その開口６０に図８に示すように器具６１が取付けられる。
【００２７】
開口６０の器具６１と接する内周の４辺には器具用見切り縁６２が取付けられている。ここで、見切り縁６２は天井２０の外周部に設けられた見切り縁３０と同一であるため、同一部品には同一の符号を付して説明を省略する。
【００２８】
見切り縁６２は押え片３６および支持片３７が開口６０の周縁部を支持する取付けとされている。この見切り縁６２の天井パネル２１と直交する対向一対の器具用見切り縁６２の樋部３９は、天井パネル２１と平行する対向一対の器具用見切り縁６２の樋部３９と連通している。また、天井パネル２１と平行する対向一対の器具用見切り縁６２の樋部３９は、その器具用見切り縁６２の両端で開口している。
【００２９】
実施の形態で示す天井構造は上記の構造から成り、天井スラブ１に漏水が発生すると、その漏水は天井２０の上面に滴下する。このとき、天井２０を形成する複数の天井パネル２１は樋状をなし、各天井パネル２１は分割端に向けて下り勾配をもって傾斜しているため天井２０の上面に滴下する漏水は天井パネル２１の傾斜に沿って流れて樋５０内に流れ落ち、上記樋５０によって集水される。また、樋５０は排水口５１に向けて下り勾配をもって傾斜しているため、樋５０に流れ込んだ漏水は排水口５１に流れてドレンパイプ５２から適宜に排水される。
【００３０】
このように、天井スラブ１から天井２０の上面に滴下する漏水は樋５０に集水され、その樋５０から排水口５１に流れてドレンパイプ５２から排水されるため、漏水が多い場合でもその漏水をスムーズに排水処理することができ、天井２０を形成する天井パネル２１の接続部から天井２０の下面側に漏洩して地下空間内に滴下するという不都合の発生を完全に防止することができる。
【００３１】
また、天井パネル２１は金属薄板の折曲げ成形品から成るため、天井２０の上面に滴下した漏水が天井パネル２１内に浸透して下面が汚損されるという不都合の発生も完全に防止することができる。
【００３２】
さらに、器具取付け用開口６０の内周４辺に樋部３９を有する器具用見切り縁６２を設けているため、上記開口６０の上流側から流れてくる漏水は天井パネル２１に直交する見切り縁６２の樋部３９に流れると共に、その樋部３９の両端開口から天井パネル２１に平行する見切り縁６２の樋部３９に流れて端部の開口から天井パネル２１に排水されることになる。
【００３３】
このため、開口６０と器具６１の接触部から天井２０の下面側に漏水が漏洩するのを防止することができる。
【００３４】
実施の形態では第１天井部２０ａと第２天井部２０ｂ間に設けた樋５０に漏水を集水して排水口５１から排水するようにしたが、上記樋５０の低端側にその樋５０と直交する方向に延びる傾斜状の樋を壁面Ｗに沿って設けて、この樋に漏水を集水し、その低端側に設けられた排水口からドレンパイプ等を介して適宜の位置に排水するようにしてもよい。
【図面の簡単な説明】
【００３５】
【図１】この発明に係る天井構造の実施の形態を示す斜視図
【図２】図１の平面図
【図３】図２のIII−III線に沿った断面図
【図４】図２のIV−IV線に沿った断面図
【図５】図３の見切り縁を拡大して示す断面図
【図６】見切り縁の接続部を示す断面図
【図７】見切り縁の接続部を示す分解斜視図
【図８】図２のVIII−VIII線に沿った断面図
【符号の説明】
【００３６】
１      スラブ
１０    天井下地
２０    天井
２１    天井パネル
２１ｂ  フランジ
２１ｅ  接続溝
２１ｆ  挿入片
３０    見切り縁
３１    固定バー
３２    支持バー
３４    クリップ
３６    押え片
３７    支持片
３９    樋部
５０    樋
５１    排水口
６０    開口
６１    器具
６２    見切り縁
【図１】
2006016846.tif 000003
【図２】
2006016846.tif 000004
【図３】
2006016846.tif 000005
【図４】
2006016846.tif 000006
【図５】
2006016846.tif 000007
【図６】
2006016846.tif 000008
【図７】
2006016846.tif 000009
【図８】
2006016846.tif 000010